(57)【要約】    【課題】  誰でも日曜大工仕事として便利良く組み立てることができる野獣侵入防護柵を提供する。    【解決手段】  開口下端部が楔状の杭先により被覆された鋼管から成り、地面へ所定間隔を保って打ち込み垂立される複数の杭と、上記杭の隣り合う相互間へ少なくとも上下２段として介挿される所定長さの山型鋼から成り、その水平板辺に多数の縦串受け入れ孔が一定間隔ピッチを保って開口分布された複数の横桟と、上記横桟の端部と杭とを連結するため、その杭へ昇降自在に套嵌される複数の金属製継手と、上記横桟における縦串受け入れ孔の口径よりも細い鉄筋から成る縦串の多数とを備え、上記継手を杭の所定高さ位置へ固定維持して、その継手と上記横桟の端部とを貫通ボルトと固定ナットにより締結一体化した後、上記縦串を上方から横桟の縦串受け入れ孔を通じて、地面へ打ち込み群立させるように定めた。【選択図】  図２
2006115793.tif 000002
【特許請求の範囲】
【請求項１】
開口下端部が楔状の杭先により被覆された鋼管から成り、地面へ所定間隔を保って打ち込み垂立される複数の杭と、
上記杭の隣り合う相互間へ少なくとも上下２段として介挿される所定長さの山型鋼から成り、その水平板辺に多数の縦串受け入れ孔が一定間隔ピッチを保って開口分布された複数の横桟と、
上記横桟の端部と杭とを連結するため、その杭へ昇降自在に套嵌される複数の金属製継手と、
上記横桟における縦串受け入れ孔の口径よりも細い鉄筋から成る縦串の多数とを備え、
上記継手を杭の所定高さ位置へ固定維持して、その継手と上記横桟の端部とを貫通ボルトと固定ナットにより締結一体化した後、上記縦串を上方から横桟の縦串受け入れ孔を通じて、地面へ打ち込み群立させることを特徴とする組立式の野獣侵入防護柵。
【請求項２】
野獣が透視できない板状又は膜状の遮蔽材を、横桟の垂直板辺へ張り付け固定することを特徴とする請求項１記載の組立式の野獣侵入防護柵。
【請求項３】
杭の開口上端部へ鋳鉄製の杭保護キャップを着脱自在に嵌め付けて、その杭保護キャップの叩打による地面への打ち込み完了後、上記杭保護キャップの取りはずしと交換して、亜鉛ダイカスト製のヘッドキャップを上記杭の開口上端部へ嵌め付け固定することを特徴とする請求項１記載の組立式の野獣侵入防護柵。
【請求項４】
継手を杭の所定高さ位置へ固定維持される取付筒の円周面から、垂直な片腕板片が一方向へ又は垂直な両腕板片が相反する二方向へ連続一体に張り出す亜鉛ダイカスト製品として、
その継手の垂直な片腕板片又は両腕板片と、横桟における対応的な垂直板辺の端部とを水平な貫通ボルトと固定ナットにより、その貫通ボルトの水平軸線を回動支点として、上記横桟を杭へ起伏自在に締結することを特徴とする請求項１記載の組立式の野獣侵入防護柵。
【請求項５】
継手を杭の所定高さ位置へ固定維持される取付筒の円周面から、水平な片腕板片が一方向へ又は水平な両腕板片が相反する二方向へ連続一体に張り出す亜鉛ダイカスト製品として、
その継手の水平な片腕板片又は両腕板片と、横桟における対応的な水平板辺の端部とを垂直な貫通ボルトと固定ナットにより、その貫通ボルトの垂直軸線を回動支点として、上記横桟を杭へ方向変換自在に締結することを特徴とする請求項１記載の組立式の野獣侵入防護柵。
【発明の詳細な説明】
【技術分野】
【０００１】
本発明は主に猪、狸及び鹿を対象として、山間部にある田畑の農作物をこれらの野獣による被害から守る組立式の野獣侵入防護柵に関する。
【背景技術】
【０００２】
この種の野獣侵入防護柵については、例えば実用新案登録第３０４１７０１号と特開２００１−８６０４号が提案されており、その何れも狸や狐、猪などの野獣がフェンスのスリットからは勿論のこと、地面に掘った穴からも侵入できない効果があると言える。
【特許文献１】実用新案登録第３０４１７０１号公報
【特許文献２】特開２００１−８６０４号公報
【発明の開示】
【発明が解決しようとする課題】
【０００３】
ところが、上記公知考案に採用されているフェンス部材（１０）は、４mmの太さを有する鉄製の線材であるため、その線材の隣り合う間隙を狐や狸が通過できない４０mmに確保したとしても、例えば猪の突進力を受けると、容易に変形・損傷して、その通過を許してしまうおそれがある。フェンス部材（１０）の透過性であることも、猪の突進を予防することができない。
【０００４】
他方、上記公知発明に採用されているフェンス体（Ｆｂ）は、太さ：４〜６mmの鋼棒を縦メンバー（１）とし、太さ：４〜１０mmの鋼棒を横メンバー（２）として交叉されているため、猪の突進力に耐え得るかもしれないが、その交叉部が溶接されることにより、正面幅：約１５００〜２０００mm×高さ：約１０００〜１８００mmの矩形状をなすため、そのフェンス体（Ｆｂ）を施工現場まで小型・軽量に便利良く搬入し難く、まして施工現場において誰もが日曜大工仕事として、自由自在に組み立てることができない。
【課題を解決するための手段】
【０００５】
本発明はこのような課題の改良を目的としており、その目的を達成するために、請求項１では開口下端部が楔状の杭先により被覆された鋼管から成り、地面へ所定間隔を保って打ち込み垂立される複数の杭と、
【０００６】
上記杭の隣り合う相互間へ少なくとも上下２段として介挿される所定長さの山型鋼から成り、その水平板辺に多数の縦串受け入れ孔が一定間隔ピッチを保って開口分布された複数の横桟と、
【０００７】
上記横桟の端部と杭とを連結するため、その杭へ昇降自在に套嵌される複数の金属製継手と、
【０００８】
上記横桟における縦串受け入れ孔の口径よりも細い鉄筋から成る縦串の多数とを備え、
【０００９】
上記継手を杭の所定高さ位置へ固定維持して、その継手と上記横桟の端部とを貫通ボルトと固定ナットにより締結一体化した後、上記縦串を上方から横桟の縦串受け入れ孔を通じて、地面へ打ち込み群立させることを特徴とする。
【００１０】
請求項２では上記請求項１に従属する構成として、野獣が透視できない板状又は膜状の遮蔽材を、横桟の垂直板辺へ張り付け固定することを特徴とする。
【００１１】
又、請求項３では同じく請求項１に従属する構成として、杭の開口上端部へ鋳鉄製の杭保護キャップを着脱自在に嵌め付けて、その杭保護キャップの叩打による地面への打ち込み完了後、上記杭保護キャップの取りはずしと交換して、亜鉛ダイカスト製のヘッドキャップを上記杭の開口上端部へ嵌め付け固定することを特徴とする。
【００１２】
請求項４では上記請求項１に従属する構成として、継手を杭の所定高さ位置へ固定維持される取付筒の円周面から、垂直な片腕板片が一方向へ又は垂直な両腕板片が相反する二方向へ連続一体に張り出す亜鉛ダイカスト製品として、
【００１３】
その継手の垂直な片腕板片又は両腕板片と、横桟における対応的な垂直板辺の端部とを水平な貫通ボルトと固定ナットにより、その貫通ボルトの水平軸線を回動支点として、上記横桟を杭へ起伏自在に締結することを特徴とする。
【００１４】
更に、請求項５では同じく請求項１に従属する構成として、継手を杭の所定高さ位置へ固定維持される取付筒の円周面から、水平な片腕板片が一方向へ又は水平な両腕板片が相反する二方向へ連続一体に張り出す亜鉛ダイカスト製品として、
【００１５】
その継手の水平な片腕板片又は両腕板片と、横桟における対応的な水平板辺の端部とを垂直な貫通ボルトと固定ナットにより、その貫通ボルトの垂直軸線を回動支点として、上記横桟を杭へ方向変換自在に締結することを特徴とする。
【発明の効果】
【００１６】
請求項１の上記構成によれば、鋼管の杭と山型鋼の横桟、金属製の継手、鉄筋の縦串を構成部品として、その分解状態のもとに施工現場である山間部の田畑へ、軽量に便利良く運搬することができ、その施工現場において誰でも上記構成部品の必要数を使用しつつ、日曜大工的に野獣侵入防護柵の組立工事を行なえる効果がある。
【００１７】
特に、請求項２の構成を採用するならば、その横桟の垂直板辺に張り付け固定される遮蔽材と、その横桟の水平板辺を通じて、地面へ打ち込み群立させる鉄筋の縦串との相乗作用により、特に猪が突進することを初め、その猪や狸が地面に穴を掘ることを、一層確実に防止できる効果がある。
【００１８】
又、請求項３の構成を採用するならば、杭を鋼管とその開口両端部のヘッドキャップ並びに杭先から、極めて容易に量産することができるほか、その鋼管の開口上端部がハンマーの繰り返し叩打力を受けて、変形・損傷するおそれを、その杭保護キャップにより安全に予防することができ、杭を永く反復使用し得る効果もある。
【００１９】
更に、請求項４の構成を採用するならば、横桟を水平な貫通ボルトの軸線廻りに起伏させて、杭へ締結することにより、その野獣侵入防護柵を地面の起伏に順応した傾斜角度として組み立てることができ、山間部の田畑にふさわしい設置状態を得られる効果がある。
【００２０】
他方、請求項５の構成を採用するならば、同じく横桟を垂直な貫通ボルトの軸線廻りに方向変換して、杭へ締結することにより、上記田畑の囲み平面形状に応じた野獣侵入防護柵を組み立て得る効果がある。
【発明を実施するための最良の形態】
【００２１】
以下、図面に基いて本発明を詳述すると、その本発明の野獣侵入防護柵は施工現場での組立式として、基本的に図１〜２８のような杭（Ａ）と横桟（Ｂ）、その横桟（Ｂ）と交叉する縦串（Ｓ）、同じく横桟（Ｂ）と杭（Ａ）とを連結する第１、２端部継手（ＥＪ１）（ＥＪ２）の２種並びに第１、２中間継手（ＭＪ１）（ＭＪ２）の２種から成り、これらの構成部品を必要数だけ使用して、誰でも日曜大工的に便利良く組立工事できるようになっている。
【００２２】
上記構成部品について言えば、先ず杭（Ａ）は一定な太さ（例えば約４８．６mm）と厚み（例えば約２mm）並びに背丈（例えば低くとも約１５００mm）を有する鋼管であり、これを地面（Ｇ）へ打ち込み垂立させるため、その開口下端部には図５のような亜鉛ダイカスト製品の楔状杭先（１１）が被覆状態に嵌め付け固定される一方、同じく開口上端部には可鍛鋳鉄品の杭保護キャップ（１２）が着脱自在として、やはり被覆状態に嵌め付け使用される。
【００２３】
杭（Ａ）の開口上端部が直かにハンマー（Ｈ）の叩打力を繰り返し受けると、変形・損傷するおそれがあり、その杭（Ａ）へ上方から上記端部継手（ＥＪ１）（ＥＪ２）や中間継手（ＭＪ１）（ＭＪ２）、後述のヘッドキャップを確実・円滑に差し込み套嵌させることができなくなるため、その杭保護キャップ（１２）を介してハンマー（Ｈ）により叩打するようになっているのである。
【００２４】
この点、図５〜８では杭保護キャップ（１２）を杭（Ａ）への外嵌状態に被冠させた上、蝶ボルト（１３）の螺進操作によって、その杭保護キャップ（１２）を杭（Ａ）の円周面へ押え付け固定するようになっているが、これと対応する図９の変形例から示唆されるように、上記蝶ボルト（１３）の設置を省略して、その杭保護キャップ（１２）を杭（Ａ）への内嵌状態に被冠させるにとどめても良く、何れにしても杭保護キャップ（１２）の頂面はフラット面（１２ａ）として、ハンマー（Ｈ）により正しく叩打することができるようになっている。
【００２５】
（１４）は地面（Ｇ）に対する杭（Ａ）の打ち込み完了後、上記杭保護キャップ（１２）の取りはずしと交換して、その杭（Ａ）の開口上端部へやはり被覆状態に嵌め付けられる亜鉛ダイカスト製品のヘッドキャップであり、ビス（１５）の螺進操作によって、図１０のように杭（Ａ）の円周面へ押え付け固定される。そのヘッドキャップ（１４）の頂面は円錐面（１４ａ）として隆起している。尚、上記ヘッドキャップ（１４）と杭保護キャップ（１２）の厚みは、何れも一例として約３mmである。
【００２６】
次に、横桟（Ｂ）は一定の長さ（例えば約９００mmと約１８００mmとの長短相違する２種）と厚み（例えば約３mm）を備えた等辺山型鋼から成り、図１１に抽出して示す如く、その水平板辺（１６ｘ）には多数の縦串受け入れ孔（１７）が鹿や猪のみならず、小型の狸でさえも通過できない一定の間隔ピッチ（Ｐ）を保って開口分布されている一方、同じく垂直板辺（１６ｙ）の少なくとも両端部にはボルト受け入れ孔（１８）の一対が開口形成されている。もっとも、上記水平板辺（１６ｘ）の縦串受け入れ孔（１７）はボルト受け入れ孔（１８）としても兼用できる口径（例えば約１４〜１５mm）に寸法化されている。
【００２７】
更に、縦串（Ｓ）は上記横桟（Ｂ）における縦串受け入れ孔（１７）の口径よりも若干細い一定の太さ（例えば約１３mm）と、上記杭（Ａ）よりも若干短かい一定の背丈（例えば約１２００mm以上）とを備えた鉄筋（異形棒鋼）であり、上方から横桟（Ｂ）の上記縦串受け入れ孔（１７）を自由に通過して、地面（Ｇ）へ打ち込み群立されることになる。これによって、上記野獣が地面（Ｇ）に穴を掘り、その穴から通過・侵入するおそれを防ぐ。
【００２８】
先に一言した第１、２端部継手（ＥＪ１）（ＥＪ２）の２種は亜鉛ダイカスト製品であり、野獣侵入防護柵の端部に位置することとなる杭（Ａ）と、横桟（Ｂ）の端部とを連結するために使用されるものとして、その第１、２端部継手（ＥＪ１）（ＥＪ２）の何れも杭（Ａ）へ上方から昇降自在に差し込み套嵌される一定な口径（例えば約４９mm）と背丈（例えば約６０mm）並びに厚み（例えば約３mm）の取付筒（１９）を備えており、ビス（２０）の螺進操作によって杭（Ａ）の円周面へ押え付けられ、その杭（Ａ）の所定高さ位置に固定維持されることとなる。
【００２９】
但し、上記２種のうち、第１端部継手（ＥＪ１）は図１２〜１４のように横桟（Ｂ）を杭（Ａ）へ、水平な貫通ボルト（２１ｘ）の軸線（Ｘ−Ｘ）を回動支点とする起伏自在に連結するため、その取付筒（１９）の円周面から垂直な片腕板片（２２ｙ）が一方向へ連続一体に張り出されており、しかも上記横桟（Ｂ）における垂直板辺（１６ｙ）のボルト受け入れ孔（１８）と連通し得るボルト受け入れ孔（２３）が、その垂直な片腕板片（２２ｙ）の中央部に開口形成されている。
【００３０】
図２、３から明白なように、その両ボルト受け入れ孔（１８）（２３）へ差し込まれる水平な貫通ボルト（２１ｘ）とその固定ナット（２４ｘ）によって、上記横桟（Ｂ）と杭（Ａ）とが締結一体化されるようになっているのであり、そのため野獣侵入防護柵の横桟（Ｂ）を地面（Ｇ）の起伏に順応させることができる。
【００３１】
その第１端部継手（ＥＪ１）のボルト受け入れ孔（２３）を図例の場合、垂直な片腕板片（２２ｙ）の張り出し方向に沿い延在する長孔として開口させているが、丸孔として開口形成してもさしつかえない。（２５）は同じく片腕板片（２２ｙ）の張り出し基端部へ、上記ボルト受け入れ孔（２３）よりも小さな口径として開口分布された上下一対の索条受け入れ孔であり、これらにはワイヤーロープや番線などの結束用索条（２６）を挿通し得るようになっている。
【００３２】
このような第１端部継手（ＥＪ１）に比して、第２端部継手（ＥＪ２）は図１５、１６のように横桟（Ｂ）を杭（Ａ）へ、垂直な貫通ボルト（２１ｙ）の軸線（Ｙ−Ｙ）を回動支点とする方向変換自在に連結するため、その同じ取付筒（２９）の円周面から水平な片腕板片（２２ｘ）が一方向へ連続一体に張り出されており、しかも上記横桟（Ｂ）における水平板辺（１６ｘ）の縦串受け入れ孔（１７）と連通し得るボルト受け入れ孔（２３）が、その水平な片腕板片（２２ｘ）の中央部に開口形成されている。
【００３３】
図３３〜３５から明白なように、そのボルト受け入れ孔に兼用できる横桟（Ｂ）の縦串受け入れ孔（１７）と、第２端部継手（ＥＪ２）のボルト受け入れ孔（２３）へ差し込まれる垂直な貫通ボルト（２１ｙ）と、その固定ナット（２４ｙ）によって、上記横桟（Ｂ）と杭（Ａ）とが締結一体化されるようになっているのであり、そのため野獣侵入防護柵の横桟（Ｂ）を田畑の囲み平面形状に順応させることができる。
【００３４】
その第２端部継手（ＥＪ２）のボルト受け入れ孔（２３）を図例では丸孔として開口させているが、水平な片腕板片（２２ｘ）の張り出し方向に沿う長孔として開口延在させても勿論良い。その水平な片腕板片（２２ｘ）の張り出し基端部又はそのボルト受け入れ孔（２３）の周辺部には、これよりも小さな口径を有する複数の索条受け入れ孔（２５）がやはり開口分布されており、これらには結束用索条（２６）を挿通させることができる。
【００３５】
他方、第１、２中間継手（ＭＪ１）（ＭＪ２）の２種も亜鉛ダイカスト製品であり、これらは野獣侵入防護柵の中間部に介在することとなる杭（Ａ）と、横桟（Ｂ）の端部とを剛性に連結するために使用されるものとして、何れも上記第１、２端部継手（ＥＪ１）（ＥＪ２）と同じ取付筒（１９）を備えており、その取付筒（１９）が杭（Ａ）へ上方から昇降自在に差し込み套嵌された上、ビス（２０）の螺進操作により杭（Ａ）の円周面へ押え付けられて、やはりその杭（Ａ）の所定高さ位置に固定維持される。
【００３６】
そして、第１中間継手（ＭＪ１）を形作る取付筒（１９）の円周面からは図１７〜１９のように、垂直な両腕板片（２２ｙ）が相反する二方向へ連続一体に張り出されていると共に、上記横桟（Ｂ）における垂直板辺（１６ｙ）のボルト受け入れ孔（１８）と連通し得るボルト受け入れ孔（２３）が、その垂直な両腕板片（２２ｙ）の中央部に各々開口形成されている。
【００３７】
つまり、第１中間継手（ＭＪ１）は上記第１端部継手（ＥＪ１）と同じく、図２、４から明白なように、その垂直な両腕板片（２２ｙ）のボルト受け入れ孔（２３）と横桟（Ｂ）のボルト受け入れ孔（１８）へ差し込まれる水平な貫通ボルト（２１ｘ）の軸線（Ｘ−Ｘ）を回動支点として、その横桟（Ｂ）を杭（Ａ）へ起伏自在に連結するものであり、その状態が上記貫通ボルト（２１ｘ）の固定ナット（２４ｘ）によって締結一体化される。そのため、横桟（Ｂ）を地面（Ｇ）の起伏に応じた傾斜角度に設置することができる。
【００３８】
このような第１中間継手（ＭＪ１）と異なって、第２中間継手（ＭＪ２）を形作る取付筒（１９）の円周面からは図２０〜２３のように、水平な両腕板片（２２ｘ）が相反する二方向へ連続一体に張り出されている。その両腕板片（２２ｘ）は、特に取付筒（１９）の上端部から張り出すことが好ましい。又、上記横桟（Ｂ）における水平板辺（１６ｘ）の縦串受け入れ孔（１７）と連通し得るボルト受け入れ孔（２３）が、その水平な両腕板片（２２ｘ）の中央部に各々開口されてもいる。
【００３９】
つまり、第２中間継手（ＭＪ２）は上記第２端部継手（ＥＪ２）と同じく、図３３、３６、３７から明白なように、その水平な両腕板片（２２ｘ）のボルト受け入れ孔（２３）と横桟（Ｂ）の縦串受け入れ孔（１７）へ差し込まれる垂直な貫通ボルト（２１ｙ）の軸線（Ｙ−Ｙ）を回動支点として、その横桟（Ｂ）を杭（Ａ）へ方向変換自在に連結するものであり、その状態が上記貫通ボルト（２１ｙ）の固定ナット（２４ｙ）によって締結一体化されることとなる。そのため、横桟（Ｂ）を田畑の囲み平面形状に応じた方向性として設置することができる。
【００４０】
尚、第１、２中間継手（ＭＪ１）（ＭＪ２）の両腕板片（２２ｘ）（２２ｙ）にも結束用索条（２６）の受け入れ孔（２５）が開口分布されているが、その個数や配置、口径などは上記第１、２端部継手（ＥＪ１）（ＥＪ２）のそれらと実質的に同一であるため、図１７〜２３に図１２〜１６との対応符号を記入するにとどめて、その詳細な説明を省略する。
【００４１】
更に、図２４、２５に示す符号（２７）は野獣侵入防護柵の転倒を予防する筋交いであって、上記杭（Ａ）よりも短かい鋼管から成り、その杭（Ａ）と交叉した傾斜状態のもとに、地面（Ｇ）へ刺し込まれることとなる。その刺し込みに代る埋め戻しの盛り土によって、筋交い（２７）の開口下端部を地面（Ｇ）へ埋め込み固定しても良い。
【００４２】
（Ｊ）は上記杭（Ａ）と筋交い（２７）とを枢支連結するための筋交い用継手であり、やはり図２６〜２８のような亜鉛ダイカスト製品として、その取付キャップ（２８）が筋交い（２７）の開口上端部へ被覆状態に嵌め込まれた上、ビス（２９）の螺進操作によって、筋交い（２７）の円周面へ押え付け固定される。
【００４３】
そして、その取付キャップ（２８）の頂面から連続一体に張り出す腕板片（３０）の中央部には、上記第１端部継手（ＥＪ１）の垂直な片腕板片（２２ｙ）に開口するボルト受け入れ孔（２３）と連通し得るボルト受け入れ孔（３１）が、好ましくは長孔として開口形成されており、その両ボルト受け入れ孔（２３）（３１）へ差し込まれる水平な貫通ボルト（３２）とその固定ナット（３３）によって、上記筋交い（２７）が杭（Ａ）へ締結一体化されるようになっている。その場合、筋交い用継手（Ｊ）と連結される第１端部継手（ＥＪ１）の垂直な片腕板片（２２ｙ）が、杭（Ａ）の上方から見て横桟（Ｂ）と交叉する方向を指すことは言うまでもない。
【００４４】
そのため、水平な上記貫通ボルト（３２）の軸線（Ｘ−Ｘ）を回動支点として、筋交い（２７）を杭（Ａ）へ起伏自在に連結することができ、その筋交い（２７）を地面（Ｇ）へ適度な傾斜状態に埋め込み固定し得るのである。尚、（３４）は筋交い（２７）の浮上を防ぐため、地面（Ｇ）に刺し込まれた添え棒、（３５）はその筋交い（２７）に対する添え棒（３４）の結束線を示唆している。
【００４５】
本発明の野獣侵入防護柵はその上記構成部品の分解状態として、施工現場である山間部の田畑まで小型・軽量に便利良く運搬することができ、その施工現場での組立工事を行なうに当っては、図１〜４の第１施工例に示す如く、先ず複数の杭（Ａ）を地面（Ｇ）へ所定間隔おきに打ち込み垂立させる。そのハンマー（Ｈ）による打ち込みの際、杭（Ａ）の開口上端部へ杭保護キャップ（１２）を嵌め付け使用することは、既に述べた通りである。
【００４６】
そして、地面（Ｇ）の起伏や田畑の囲み平面形状などに応じて、上記第１、２端部継手（ＥＪ１）（ＥＪ２）の２種と第１、２中間継手（ＭＪ１）（ＭＪ２）の２種を取捨選択的に使い分け又は併用する。この点、図１〜４の第１施工例では第１端部継手（ＥＪ１）と第１中間継手（ＭＪ１）を使用している。
【００４７】
つまり、上記地面（Ｇ）へ打ち込み完了した杭（Ａ）から、その杭保護キャップ（１２）を取りはずして、野獣侵入防護柵の端部に位置することとなる杭（Ａ）へ、第１端部継手（ＥＪ１）の複数づつ（図例では上下２段の２個づつ）を差し込み套嵌させる一方、同じく侵入防護柵の中間部に介在することとなる杭（Ａ）へ、第１中間継手（ＭＪ１）の同じ複数づつを差し込み套嵌させて、そのすべての杭（Ａ）の開口上端部にヘッドキャップ（１４）を各々嵌め付け固定する。
【００４８】
そのヘッドキャップ（１４）の嵌め付け固定と相前後して、上記第１端部継手（ＥＪ１）と第１中間継手（ＭＪ１）を各々ビス（２０）の螺進操作により、杭（Ａ）の所定高さ位置へ押え付け状態に固定維持した上、その杭（Ａ）の隣り合う相互間へ複数づつ（図例では２本づつ）の横桟（Ｂ）を介挿して、その横桟（Ｂ）の一端部と上記第１端部継手（ＥＪ１）とを、貫通ボルト（２１ｘ）と固定ナット（２４ｘ）により各々締結する一方、同じく横桟（Ｂ）の他端部と上記第１中間継手（ＭＪ１）とを、やはり貫通ボルト（２１ｘ）と固定ナット（２４ｘ）によって各々締結する。
【００４９】
その場合、第１端部継手（ＥＪ１）の垂直な片腕板片（２２ｙ）に開口するボルト受け入れ孔（２３）や、第１中間継手（ＭＪ１）の同じく両腕板片（２２ｙ）に開口するボルト受け入れ孔（２３）と、横桟（Ｂ）の対応的な垂直板辺（１６ｙ）に開口するボルト受け入れ孔（１８）との相互間へ差し込まれている水平な貫通ボルト（２１ｘ）の軸線（Ｘ−Ｘ）を回動支点として、その固定ナット（２４ｘ）を締め上げ操作する前に、上記横桟（Ｂ）を起伏させることにより、これを図２に併せて示す如く、地面（Ｇ）の起伏に沿う傾斜角度として杭（Ａ）へ締結固定することができる。
【００５０】
このような杭（Ａ）に対する横桟（Ｂ）の締結状態では、その横桟（Ｂ）が少なくとも上下２段として並列するため、最後に横桟（Ｂ）の水平板辺（１６ｘ）に開口分布する多数の縦串受け入れ孔（１７）を通じて、上方から多数の縦串（Ｓ）を地面（Ｇ）へ打ち込み群立させるのである。茲に、縦串（Ｓ）は横桟（Ｂ）の縦串受け入れ孔（１７）を自由に通過するため、地面（Ｇ）に水路（３６）や岩石（３７）などが存在しても、その縦串（Ｓ）を支障なく群立させることができる。
【００５１】
特に、猪を対象とする侵入防護柵では、図２と対応する図２９〜３２の別な第２施工例から明白なように、少なくとも上下２段として並列する上記横桟（Ｂ）の垂直板辺（１６ｙ）へ、好ましくはその第１端部継手（ＥＪ１）や第１中間継手（ＭＪ１）に対する水平な貫通ボルト（２１ｘ）と固定ナット（２４ｘ）を兼用して、トタン板やベニヤ板などの板状又は着色ビニールシートなどの膜状遮蔽材（３８）を張り付けることにより、その猪による透視不能な侵入防護柵として組み立てることが効果的である。
【００５２】
その膜状の遮蔽材（３８）を採用する場合には、図１１の鎖線で示す如く、上記横桟（Ｂ）の垂直板辺（１６ｙ）へボルト受け入れ孔（１８）の多数を、一定間隔おきに開口増設しておき、ここにも貫通ボルト（２１ｘ）を差し込んで、固定ナット（２４ｘ）を締結することにより、その膜状遮蔽材（３８）の剥離などを防止することが望ましい。
【００５３】
何れにしても、図２９〜３２の第２施工例によれば、鉄筋から成る縦串（Ｓ）の多数と、その野獣の透視不能な遮蔽材（３８）とが相俟つ二重構造として、地面（Ｇ）に通過・侵入用の穴が掘られてしまうおそれも、効果的に防止することができる。遮蔽材（３８）は図例のような横桟（Ｂ）の全体に限らず、その約下半部だけに張設しても良い。
【００５４】
図３３〜３７は図２と対応する更に別な第３施工例を示しており、これは施工現場である田畑の囲み平面形状に対応させるため、上記第２端部継手（ＥＪ２）と第２中間継手（ＭＪ２）を使用して、横桟（Ｂ）の両端部を野獣侵入防護柵の端部に位置する杭（Ａ）と、同じく中間部に介在する杭（Ａ）へ締結一体化している。
【００５５】
その第２端部継手（ＥＪ２）の水平な片腕板片（２２ｘ）に開口するボルト受け入れ孔（２３）や、第２中間継手（ＭＪ２）の水平な両腕板片（２２ｘ）に開口するボルト受け入れ孔（２３）と、横桟（Ｂ）の対応的な水平板辺（１６ｘ）に開口する縦串受け入れ孔（１７）との相互間へ差し込まれている垂直な貫通ボルト（２１ｙ）の軸線（Ｙ−Ｙ）を回動支点として、その固定ナット（２４ｙ）を締め上げ操作する前に、上記横桟（Ｂ）を方向変換することができるのである。
【００５６】
但し、上記第１、２端部継手（ＥＪ１）（ＥＪ２）の２種や第１、２中間継手（ＭＪ１）（ＭＪ２）の２種は、何れも杭（Ａ）へ昇降自在に差し込み套嵌されるようになっているため、その杭（Ａ）自身の垂直軸線を回動支点として、方向変換することができ、その結果図３８〜４１の第４施工例に示唆する如く、野獣侵入防護柵の端部に位置することとなる杭（Ａ）や、同じく中間部に介在することとなる杭（Ａ）へ、上記第１端部継手（ＥＪ１）又は第２端部継手（ＥＪ２）の１種だけを数多く言わば積み重ね状態に差し込み固定して、上記横桟（Ｂ）をその隣り合う相互間での段違い状態に締結しても良い。
【００５７】
そして、第１〜４施工例の何れにあっても、上記第１、２端部継手（ＥＪ１）（ＥＪ２）や第１、２中間継手（ＭＪ１）（ＭＪ２）をその杭（Ａ）の隣り合う相互間において、図４２、４３に示す如くワイヤーロープや番線などの結束用索条（２６）により、交叉状態に縛り付け結束するならば、猪の強大な突進力にも耐える侵入防護柵を得ることができる。
【００５８】
尚、図例では山型鋼から成る横桟（Ｂ）をすべて側面視のＬ字状として、その第１、２端部継手（ＥＪ１）（ＥＪ２）や第１、２中間継手（ＭＪ１）（ＭＪ２）と締結しているが、その側面視の倒立Ｌ字状として配置させることも可能である。又、横桟（Ｂ）の隣り合う上下相互間隔としては、上記野獣が前足を掛けて登る階段とならない寸法に定めことが望ましい。
【図面の簡単な説明】
【００５９】
【図１】本発明に係る野獣侵入防護柵の第１施工例として、その杭の打ち込み完了状態を示す正面図である。
【図２】図１の組立使用状態を示す正面図である。
【図３】図２の３−３線拡大断面図である。
【図４】図２の４−４線拡大断面図である。
【図５】杭の打ち込み状態を示す説明図である。
【図６】杭保護キャップを抽出して示す斜面図である。
【図７】図６の底面図である。
【図８】図７の８−８線断面図である。
【図９】杭保護キャップの変形例を示す図５に対応する部分拡大断面図である。
【図１０】杭の使用状態を抽出して示す示す断面図である。
【図１１】横桟を抽出して示す斜面図である。
【図１２】第１端部継手を抽出して示す正面図である。
【図１３】図１２の平面図である。
【図１４】図１２の１４−１４線断面図である。
【図１５】第２端部継手を抽出して示す平面図である。
【図１６】図１５の１６−１６線断面図である。
【図１７】第１中間継手を抽出して示す正面図である。
【図１８】図１７の平面図である。
【図１９】図１７の１９−１９線断面図である。
【図２０】第２中間継手を抽出して示す平面図である。
【図２１】図２０の正面図である。
【図２２】図２０の底面図である。
【図２３】図２０の２３−２３線断面図である。
【図２４】図２の側面図である。
【図２５】図２４の２５−２５線拡大断面図である。
【図２６】筋交い用継手を抽出して示す正面図である。
【図２７】図２６の２７−２７線断面図である。
【図２８】図２６の２８−２８線断面図である。
【図２９】図２に対応する野獣侵入防護柵の第２施工例を示す正面図である。
【図３０】図２９の３０−３０線拡大断面図である。
【図３１】図２９の３１−３１線拡大断面図である。
【図３２】図２９の３２−３２線拡大断面図である。
【図３３】図２に対応する野獣侵入防護柵の第３施工例を示す正面図である。
【図３４】図３３の３４−３４線拡大断面図である。
【図３５】図３４の３５−３５線拡大断面図である。
【図３６】図３３の３６−３６線拡大断面図である。
【図３７】図３６の３７−３７線拡大断面図である。
【図３８】図２に対応する野獣侵入防護柵の第４施工例を示す正面図である。
【図３９】図３８の平面図である。
【図４０】図３８の４０−４０線拡大断面図である。
【図４１】第２端部継手の一種だけを使用した図３９に対応する平面図である。
【図４２】野獣侵入防護柵に結束用索条を縛り付けた状態を示す図２に対応する正面図である。
【図４３】図４２の部分拡大正面図である。
【符号の説明】
【００６０】
（１１）・杭先
（１２）・杭保護キャップ
（１４）・ヘッドキャップ
（１５）・ビス
（１６ｘ）・水平板辺
（１６ｙ）・垂直板辺
（１７）・縦串受け入れ孔
（１８）・ボルト受け入れ孔
（１９）・取付筒
（２０）・ビス
（２１ｘ）（２１ｙ）・貫通ボルト
（２２ｘ）（２２ｙ）・片腕板片と両腕板片
（２３）・ボルト受け入れ孔、
（２４ｘ）（２４ｙ）・固定ナット
（２５）・索条受け入れ孔
（２６）・結束用索条
（２７）・筋交い                                                                （２８）・取付キャップ
（２９）・ビス
（３０）・腕板片
（３１）・ボルト受け入れ孔
（３２）・貫通ボルト
（３３）・固定ナット
（３４）・添え棒
（３５）・結束線
（３８）・遮蔽材
（Ａ）・杭
（Ｂ）・横桟
（Ｇ）・地面
（Ｈ）・ハンマー
（Ｓ）・縦串
（ＥＪ１）・第１端部継手
（ＥＪ２）・第２端部継手
（ＭＪ１）・第１中間継手
（ＭＪ２）・第２中間継手
（Ｊ）・筋交い用継手
（Ｐ）・間隔ピッチ
（Ｘ−Ｘ）・水平軸線
（Ｙ−Ｙ）・垂直軸線
【図１】
2006115793.tif 000003
【図２】
2006115793.tif 000004
【図３】
2006115793.tif 000005
【図４】
2006115793.tif 000006
【図５】
2006115793.tif 000007
【図６】
2006115793.tif 000008
【図７】
2006115793.tif 000009
【図８】
2006115793.tif 000010
【図９】
2006115793.tif 000011
【図１０】
2006115793.tif 000012
【図１１】
2006115793.tif 000013
【図１２】
2006115793.tif 000014
【図１３】
2006115793.tif 000015
【図１４】
2006115793.tif 000016
【図１５】
2006115793.tif 000017
【図１６】
2006115793.tif 000018
【図１７】
2006115793.tif 000019
【図１８】
2006115793.tif 000020
【図１９】
2006115793.tif 000021
【図２０】
2006115793.tif 000022
【図２１】
2006115793.tif 000023
【図２２】
2006115793.tif 000024
【図２３】
2006115793.tif 000025
【図２４】
2006115793.tif 000026
【図２５】
2006115793.tif 000027
【図２６】
2006115793.tif 000028
【図２７】
2006115793.tif 000029
【図２８】
2006115793.tif 000030
【図２９】
2006115793.tif 000031
【図３０】
2006115793.tif 000032
【図３１】
2006115793.tif 000033
【図３２】
2006115793.tif 000034
【図３３】
2006115793.tif 000035
【図３４】
2006115793.tif 000036
【図３５】
2006115793.tif 000037
【図３６】
2006115793.tif 000038
【図３７】
2006115793.tif 000039
【図３８】
2006115793.tif 000040
【図３９】
2006115793.tif 000041
【図４０】
2006115793.tif 000042
【図４１】
2006115793.tif 000043
【図４２】
2006115793.tif 000044
【図４３】
2006115793.tif 000045